(57)【要約】  【課題】  燃料ポート４からの燃料供給量を不正に調節されたまま、継続的に使用されるのを防止することができるキャブレータを提供する。  【解決手段】  調節ネジ６に調節制限具１０を固定し、ミキシングボディ１に係止部１１を設け、調節制限具１０が係止部１１に係止されない所定の許容範囲１２内では、調節ネジ６を螺動調節できるようにし、調節ネジ６に破断用接続部１７を設け、調節制限具１０を係止部１１に係止させたまま、調節制限具１０に所定量以上の回転力を加えると、破断用接続部１７が破断することにより、調節ネジ６から調節制限具１０が脱落するようにした、キャブレータにおいて、破断用接続部１７を、調節ネジ６のオネジ部２０とバネ受けフランジ１７との間に設け、破断用接続部１７が破断すると、調節制限具１０とともにバネ受けフランジ１７や付勢バネ８が、調節ネジ６のオネジ部２０から脱落するようにした。【選択図】    図１
2005069195.tif 000002
【特許請求の範囲】
【請求項１】
ミキシングボディ(１)内に吸気通路(２)を設け、ミキシングボディ(１)の吸気通路壁(３)に燃料ポート(４)を開口させ、吸気通路壁(３)にネジ孔(５)をあけ、このネジ孔(５)に調節ネジ(６)を螺着し、この調節ネジ(６)の螺動調節で燃料ポート(４)からの燃料供給量を調節できるようにし、この調節ネジ(６)の外端寄りにバネ受けフランジ(７)を設け、このバネ受けフランジ(７)と吸気通路壁(３)との間に付勢バネ(８)を介設し、この付勢バネ(８)で調節ネジ(６)を外向きに付勢し、調節ネジ(６)に工具係合部(９)を設け、
調節ネジ(６)に調節制限具(１０)を固定し、ミキシングボディ(１)に係止部(１１)を設け、調節制限具(１０)が係止部(１１)に係止されない所定の許容範囲(１２)内では、調節ネジ(６)を螺動調節できるようにし、調節ネジ(６)に破断用接続部(１７)を設け、調節制限具(１０)を係止部(１１)に係止させたまま、調節制限具(１０)に所定量以上の回転力を加えると、破断用接続部(１７)が破断することにより、調節ネジ(６)から調節制限具(１０)が脱落するようにした、キャブレータにおいて、
破断用接続部(１７)を、調節ネジ(６)のオネジ部(２０)とバネ受けフランジ(７)との間に設け、破断用接続部(１７)が破断すると、調節制限具(１０)とともにバネ受けフランジ(７)や付勢バネ(８)が、調節ネジ(６)のオネジ部(２０)から脱落するようにした、ことを特徴とするキャブレータ。
【請求項２】
請求項１に記載したキャブレータにおいて、
破断用接続部(１７)を、オネジ部(２０)よりも外径の小さい小径部(２１)で形成した、ことを特徴とするキャブレータ。
【請求項３】
請求項１または請求項２に記載したキャブレータにおいて、
工具係合部(９)を工具係合溝(１３)で構成した、ことを特徴とするキャブレータ。
【発明の詳細な説明】
【技術分野】
【０００１】
本発明は、火花点火式エンジンに用いるキャブレータに関するものである。
【背景技術】
【０００２】
従来のキャブレータとして、図３に示すもの(例えば、特許文献１参照)や、図４に示すもの(例えば、特許文献２参照)がある。
これらは、本発明と同様、次のようになっている。
図３または図４に示すように、ミキシングボディ(１０１)内に吸気通路(１０２)を設け、ミキシングボディ(１０１)の吸気通路壁(１０３)に燃料ポート(１０４)を開口させ、吸気通路壁(１０３)にネジ孔(１０５)をあけ、このネジ孔(１０５)に調節ネジ(１０６)を螺着し、この調節ネジ(１０６)の螺動調節で燃料ポート(１０４)からの燃料供給量を調節できるようにし、この調節ネジ(１０６)の外端寄りにバネ受けフランジ(１０７)を設け、このバネ受けフランジ(１０７)と吸気通路壁(１０３)との間に付勢バネ(１０８)を介設し、この付勢バネ(１０８)で調節ネジ(１０６)を外向きに付勢し、調節ネジ(１０６)に工具係合部(１０９)を設けている。
【０００３】
調節ネジ(１０６)に調節制限具(１１０)を固定し、ミキシングボディ(１０１)に係止部(１１１)を設け、調節制限具(１１０)が係止部(１１１)に係止されない所定の許容範囲(１１２)内では、調節ネジ(１０６)を螺動調節できるようにし、調節ネジ(１０６)に破断用接続部(１１７)を設け、調節制限具(１１０)を係止部(１１１)に係止させたまま、調節制限具(１１０)に所定量以上の回転力を加えると、破断用接続部(１１７)が破断することにより、調節ネジ(１０６)から調節制限具(１１０)が脱落するようにしている。
【０００４】
この種のキャブレータでは、エンジンの排気ガス特性等を考慮して、燃料ポート(１０４)からの燃料供給量を調節ネジ(１０６)で調節し、調節ネジ(１０６)に調節制限具(１１０)を固定し、エンジン出荷後は、所定の許容範囲(１１２)内での部分的な調節は許すものの、調節制限具(１１０)を係止具(１１１)に係止させることにより、許容範囲(１１２)を越える範囲での調節ネジ(１０６)の調節を制限するようになっている。
【０００５】
そして、この制限を守らず、不正に許容範囲(１１２)を越える調節を行うことを試みた場合には、調節ネジ(１０６)から調節制限具(１１０)が脱落し、不正調節の事実が残るため、その心理的作用により不正調節が抑制されるようになっている。
【０００６】
上記各従来技術は、次の点で本願発明と相違している。
図３、図４のいずれのものも、破断用接続部(１１７)を、調節ネジ(１０６)のバネ受けフランジ(１０７)の外側に設け、破断用接続部(１１７)が破断しても、バネ受けフランジ(１０７)や付勢バネ(１０８)が、調節ネジ(１０６)のオネジ部(１２０)とともに残るようになっている。
【０００７】
なお、図３及び図４中の符号(１１６)はボス、図４中の符号(１１８)はバネ受けフランジ(１０７)から外向きに導出した筒体、(１１９)は筒体(１１８)内に埋設した固着部である。
【０００８】
【特許文献１】特開平７−４２６１６号公報(図１参照)
【特許文献２】特開平７−４２６１７号公報(図１参照)
【発明の開示】
【発明が解決しようとする課題】
【０００９】
上記各従来技術では、次の問題がある。
《問題点》  燃料ポートからの燃料供給量を不正に調節されたキャブレータを継続的に使用されるおそれがある。
破断用接続部(１１７)が破断しても、バネ受けフランジ(１０７)や付勢バネ(１０８)が、調節ネジ(１０６)のオネジ部(１２０)とともに残るようになっているため、付勢バネ(１０８)の付勢力によりオネジ部(１２０)が一定の不正調節位置で安定して保持される。このため、燃料ポート(１０４)からの燃料供給量を不正に調節されたキャブレータを継続的に使用されるおそれがある。
【００１０】
本発明は、上記問題点を解決すること、すなわち燃料ポートからの燃料供給量を不正に調節されたまま、継続的に使用されるのを防止することができるキャブレータを提供することを課題とする。
【課題を解決するための手段】
【００１１】
(請求項１に係る発明)
請求項１に係る発明は、図１に示すように、ミキシングボディ(１)内に吸気通路(２)を設け、ミキシングボディ(１)の吸気通路壁(３)に燃料ポート(４)を開口させ、吸気通路壁(３)にネジ孔(５)をあけ、このネジ孔(５)に調節ネジ(６)を螺着し、この調節ネジ(６)の螺動調節で燃料ポート(４)からの燃料供給量を調節できるようにし、この調節ネジ(６)の外端寄りにバネ受けフランジ(７)を設け、このバネ受けフランジ(７)と吸気通路壁(３)との間に付勢バネ(８)を介設し、この付勢バネ(８)で調節ネジ(６)を外向きに付勢し、調節ネジ(６)に工具係合部(９)を設け、
調節ネジ(６)に調節制限具(１０)を固定し、ミキシングボディ(１)に係止部(１１)を設け、調節制限具(１０)が係止部(１１)に係止されない所定の許容範囲(１２)内では、調節ネジ(６)を螺動調節できるようにし、調節ネジ(６)に破断用接続部(１７)を設け、調節制限具(１０)を係止部(１１)に係止させたまま、調節制限具(１０)に所定量以上の回転力を加えると、破断用接続部(１７)が破断することにより、調節ネジ(６)から調節制限具(１０)が脱落するようにした、キャブレータにおいて、
破断用接続部(１７)を、調節ネジ(６)のオネジ部(２０)とバネ受けフランジ(７)との間に設け、破断用接続部(１７)が破断すると、調節制限具(１０)や工具係合部(９)とともにバネ受けフランジ(７)や付勢バネ(８)が、調節ネジ(６)のオネジ部(２０)から脱落するようにしたことを特徴とする。
【００１２】
(請求項２に係る発明)
請求項２に係る発明は、図１に示すように、請求項１に記載したキャブレータにおいて、
破断用接続部(１７)を、オネジ部(２０)よりも外径の小さい小径部(２１)で形成したことを特徴とする。
【００１３】
(請求項３に係る発明)
請求項３に係る発明は、図１に示すように、請求項１または請求項２に記載したキャブレータにおいて、
工具係合部(９)を工具係合溝(１３)で構成したことを特徴とする。
【発明の効果】
【００１４】
(請求項１に係る発明)
請求項１に係る発明は、次の効果を奏する。
《効果１》  燃料ポートからの燃料供給量を不正に調節されたキャブレータを継続的に使用されるおそれがない。
破断用接続部(１７)が破断すると、調節制限具(１０)とともにバネ受けフランジ(７)や付勢バネ(８)が、調節ネジ(６)のオネジ部(２０)から脱落するようにしたため、オネジ部(２０)に付勢バネ(８)の付勢力がかからなくなり、オネジ部(２０)が一定の不正調節位置で安定して保持されることがなく、エンジンを安定して運転することができなくなる。このため、燃料ポート(４)からの燃料供給量を不正に調節されたキャブレータを継続的に使用されるおそれがなくなる。
【００１５】
(請求項２に係る発明)
請求項２に係る発明は、次の効果を奏する。
《効果２》  破断用接続部を安価に形成することができる。
破断用接続部(１７)を、オネジ部(２０)よりも外径の小さい小径部(２１)で形成したため、破断用接続部(１７)を安価に形成することができる。
【００１６】
(請求項３に係る発明)
請求項３に係る発明は、次の効果を奏する。
《効果３》  工具係合部を安価に形成することができる。
工具係合部(９)を工具係合溝(１３)で構成したため、工具係合部(９)を安価に形成することができる。
【発明を実施するための最良の形態】
【００１７】
本発明の実施形態を図面に基づいて説明する。
図１及び図２は実施形態に係るキャブレータを説明する図である。
図２(Ａ)に示すように、ミキシングボディ(１)の下部に燃料カップ(２５)を取り付け、この燃料カップ(２５)内でミキシングボディ(１)からノズル収容ボス(２６)を垂設し、このノズル収容ボス(２６)内にメインノズル(２７)とメイン計量ジェット(２８)とを収容している。燃料カップ(２５)内にはフロート弁(２９)を収容している。ミキシングボディ(１)内に吸気通路(２)を設け、この吸気通路(２)の入口側にチョーク弁(３０)を設け、出口側にスロットル弁(３１)を設けている。チョーク弁(３０)とスロットル弁(３１)との間にはベンチュリ部(３２)を設け、このベンチュリ部(３２)にメインノズル(２７)の出口を臨ませている。図２(Ａ)(Ｂ)の矢印(３７)は吸気の方向を示している。
【００１８】
図１(Ｂ)に示すように、ミキシングボディ(１)の吸気通路壁(３)の横周壁の一方にメインエアブリード(３３)を形成し、これを吸気通路(２)の上流に向けて開口させている。メインエアブリード(３３)は、メインノズル(２７)に吸気の一部を供給する。ミキシングボディ(１)の吸気通路壁(３)の横周壁の他方にパイロットエアブリード(３４)とスロー系燃料通路(３５)とを連通状に形成し、パイロットエアブリード(３４)を吸気通路(２)の上流に向けて開口させている。パイロットエアブリード(３４)は、スロー系燃料通路(３５)に吸気の一部を供給する。スロー系燃料通路(３５)には、吸気通路(２)に向けて、スロー燃料ポート(３６)とアイドル燃料ポート(４)とを開口させている。アイドル燃料ポート(４)は、スロットルバルブ(３１)がほぼ全閉となるアイドリング時の燃料を供給するポートであり、スロー燃料ポート(３６)は、スロットルバルブ(３１)の開弁につれて減少するアイドル燃料ポート(４)からの燃料の供給を補うためのポートである。吸気通路壁(３)にネジ孔(５)をあけ、このネジ孔(５)に調節ネジ(６)を螺着し、この調節ネジ(６)の螺動調節でアイドル燃料ポート(４)からの燃料供給量を調節できるようにしている。
【００１９】
調節ネジ(６)の構造は、次の通りである。
図３(Ａ)に示すように、調節ネジ(６)の外端寄りにバネ受けフランジ(７)を設け、このバネ受けフランジ(７)と吸気通路壁(３)との間に付勢バネ(８)を介設し、この付勢バネ(８)で調節ネジ(６)を外向きに付勢し、バネ受けフランジ(７)の外側に工具係合部(９)を設けている。バネ受けフランジ(７)から杆部(２４)を外向きに突出させ、この杆部(２４)の外端面に工具係合部(９)となる工具係合溝(１３)を形成している。図１(Ｂ)に示すように、工具係合溝(１３)はマイナスドライバを係合させるドライバ溝である。調節ネジ(６)の先端は、針弁となっており、調節ネジ(６)の螺動調節によって、アイドル燃料ポート(４)の開度を調節することができるようになっている。この調節ネジ(６)には調節制限具(１０)を固定している。
【００２０】
調節制限具(１０)の機能は、次の通りである。
図１(Ｂ)に示すように、ミキシングボディ(１)に係止部(１１)を設け、調節制限具(１０)が係止部(１１)に係止されない所定の許容範囲(１２)内では、調節ネジ(６)を螺動調節できるようにし、調節制限具(１０)を係止部(１１)に係止させたまま、調節制限具(１０)に所定量以上の回転力を加えると、調節ネジ(６)から調節制限具(１０)が脱落するようにしている。すなわち、調節ネジ(６)に破断用接続部(１７)を設け、破断用接続部(１７)が破断することにより、調節ネジ(６)から調節制限具(１０)が脱落するようにしている。
【００２１】
燃料制限具(１０)の具体的構造とその固定手段は、次の通りである。
図１(Ａ)に示すように、調量制限具(１０)は、キャップ状のもので、杆部(２４)に被せ、接着剤で調節ネジ(６)の杆部(２４)に固定している。図１(Ｂ)に示すように、調量制限具(１０)の周側には円弧状の切欠き溝(２３)を設け、この切欠き溝(２３)の周方向両端部に係合面(２２)を設け、この係合面(２２)が係止部(１１)に係止されるまでは調節ネジ(６)を螺動調節できるようになっている。この係合面(２２)を係止部(１１)に係止させた状態で、調節制限具(１０)を係止部(１１)に係止させたまま、調節制限具(１０)に所定量以上の回転力を加えると、係止部(１１)に係止された係合面(２２)を支点として、調節制限具(１０)が杆部(１１)とともに調節ネジ(６)の径方向に揺動し、破断用接続部(１７)が破断することにより、調節制限具(１０)や工具係合部(９)とともにバネ受けフランジ(７)や付勢バネ(８)が、調節ネジ(６)のオネジ部(２０)から脱落する。このため、オネジ部(２０)に付勢バネ(８)の付勢力がかからなくなり、オネジ部(２０)が一定の不正調節位置で安定して保持されることがなく、エンジンを安定して運転することができなくなる。
【００２２】
このキャブレータの使用方法は、次の通りである。
エンジンの排気ガス特性等を考慮して、アイドル燃料ポート(４)からの燃料供給量を調節ネジ(６)で調節し、調節ネジ(６)に調節制限具(１０)を固定し、エンジン出荷後は、所定の許容範囲(１２)内での部分的な調節は許すものの、調節制限具(１０)を係止具(１１)に係止させることにより、許容範囲(１２)を越える範囲での調節ネジ(６)の調節を制限する。そして、この制限を守らず、不正に許容範囲(１２)を越える調節を行うことを試みた場合には、調節ネジ(６)から調節制限具(１０)が脱落し、不正調節の事実が残るため、その心理的作用により不正調節が抑制される。調節ネジ(６)から調節制限具(１０)が脱落した場合には、オネジ部(２０)に付勢バネ(８)の付勢力がかからなくなり、オネジ部(２０)が一定の不正調節位置で安定して保持されることがなく、エンジンを安定して運転することができなくなる。このため、アイドル燃料ポート(４)からの燃料供給量を不正に調節されたキャブレータを継続的に使用されるおそれがなくなる。
【図面の簡単な説明】
【００２３】
【図１】本発明の実施形態に係るキャブレータの要部を説明する図で、図１(Ａ)は要部の横断平面図、図１(Ｂ)は図１(Ａ)のＢ−Ｂ線断面図である。
【図２】本発明の実施形態に係るキャブレータの全体を説明する図で、図２(Ａ)は全体の縦断側面図、図２(Ｂ)は図２(Ａ)のＢ−Ｂ線断面図である。
【図３】従来技術に係るキャブレータの要部を説明する図で、図３(Ａ)は要部の横断平面図、図３(Ｂ)は図３(Ａ)のＢ方向矢視図である。
【図４】他の従来技術に係るキャブレータの要部を説明する図で、図４(Ａ)は要部の横断平面図、図４(Ｂ)は図４(Ａ)のＢ方向矢視図である。
【符号の説明】
【００２４】
(１)…ミキシングボディ、(２)…吸気通路、(３)…吸気通路壁、(４)…燃料ポート、(５)…ネジ孔、(６)…調節ネジ、(７)…バネ受けフランジ、(８)…付勢バネ、(９)…工具係合部、(１０)…調節制限具、(１１)…係止部、(１２)…許容範囲、(１３)…工具係合溝、(１７)…破断用接続部、(２０)…オネジ部、(２１)…小径部。
【図１】
2005069195.tif 000003
【図２】
2005069195.tif 000004
【図３】
2005069195.tif 000005
【図４】
2005069195.tif 000006